(57)【要約】【課題】  複数のフレキシブルな記録ディスクメディアを収納した記録ディスクカートリッジを簡易に構成し、さらに、シャッタの開閉動作がスムーズにする。【解決手段】  カートリッジケース２は、磁気ディスクメディア４１に平行な下壁・上壁を構成する下および上プレート１０，３０と、複数の磁気ディスクメディア４１を仕切るインナプレート２０と、下および上プレート１０，３０の内側対向面に配置された下および上ロータ５１，５２と、ヘッドが進入する開口部３とを備えて構成する。開口部３を開閉するシャッタ４を備えた下および上ロータ５１，５２には、回転軸Ａを中心として形成された円弧状の凸部５１，５２ｄがそれぞれ設けられている。下および上プレート１０，３０には、凸部５１ｄ，５２ｄが挿入される円弧状の支持溝１８，３８がそれぞれ設けられている。【選択図】      図５
2006073129.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアの平行な下壁を構成する下プレートと、
前記記録ディスクメディアの平行な上壁を構成する上プレートと、
これらの下プレートおよび上プレートにより構成される側部の一部に形成された開口部と、
前記下プレートの内側対向面に配置された下ロータと、
前記上プレートの内側対向面に配置された上ロータと、
前記開口部を開閉するとともに前記下ロータおよび上ロータを連結するシャッタとを備え、
前記下ロータおよび前記上ロータの周縁部には、前記下プレートおよび上プレートとの対向面に、回転軸を中心として形成された円弧状の凸部がそれぞれ設けられ、
前記下プレートおよび上プレートには、前記凸部が挿入される円弧状の支持溝がそれぞれ設けられていること
を特徴とする記録ディスクカートリッジ。
【請求項２】
前記下プレートと上プレートとの間には、前記複数の記録ディスクメディアを仕切る少なくとも１枚のインナプレートが固定されていることを特徴とする請求項１に記載の記録ディスクカートリッジ。
【請求項３】
前記凸部の高さは、前記支持溝の深さより高く形成されていることを特徴とする請求項１または請求項２に記載の記録ディスクカートリッジ。
【請求項４】
前記下ロータの凸部の先端と前記上ロータの凸部の先端との間の凸部間距離が、前記下プレートと上プレートとの間のプレート間距離より大きく、かつ、前記下プレートの支持溝の底と上プレートの支持溝の底との間の支持溝間距離より小さく形成されていることを特徴とする請求項１ないし請求項３のいずれか一項に記載の記録ディスクカートリッジ。
【請求項５】
前記下ロータまたは上ロータの少なくとも一方の外周部には、前記シャッタを開閉させるための係合部が設けられていることを特徴とする請求項１ないし請求項４のいずれか一項に記載の記録ディスクカートリッジ。
【請求項６】
前記凸部または前記支持溝の少なくとも一方には、滑り摩擦低減処理が施されていることを特徴とする請求項１ないし請求項５のいずれか一項に記載の記録ディスクカートリッジ。
【請求項７】
前記凸部または前記支持溝の少なくとも一方には、磨耗低減処理が施されていることを特徴とする請求項１ないし請求項６のいずれか一項に記載の記録ディスクカートリッジ。
【請求項８】
前記滑り摩擦低減処理は、前記凸部または前記支持溝の少なくとも一方の表面を粗面にする粗面化処理、
前記凸部または前記支持溝の少なくとも一方の表面に摩擦低減材を設置する摩擦低減材設置処理、
前記凸部または前記支持溝の少なくとも一方の表面に潤滑剤を塗布する潤滑剤塗布処理、
あるいは、前記凸部または前記支持溝の少なくとも一方を含油樹脂で形成した含油樹脂成形処理のいずれかからなること特徴とする請求項６に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報
【発明の開示】
【発明が解決しようとする課題】
【０００５】
しかしながら、前記した特許文献１の磁気ディスクカートリッジは、前記した板部材を１枚の磁気ディスクメディアに対して４枚配置した可動なシャッタ部材から構成しているため、構造が複雑であり、磁気ディスクメディアとの平行が保ちにくいという問題がある。
また、磁気ディスクカートリッジは、大量に生産する商品であるため、組立性、生産性に優れることが望ましい。
さらに、磁気ディスクメディアの枚数を、３枚、５枚などとした磁気ディスクカートリッジを複数種類設定しやすいように、設計変更の自由度が高いことが望ましい。
磁気ディスクカートリッジは、高い信頼性を求められる製品であるため、ヘッドが出入りする開口部を開閉するシャッタも長期間にわたって安定した動作をする必要がある。
【０００６】
このような背景に鑑みて本発明がなされたのであり、本発明は、簡素な構造からなり、組立性、生産性に優れ、記録ディスクメディアの枚数の変更も容易な記録ディスクカートリッジを提供することと、さらに、シャッタの開閉動作がスムーズな記録ディスクカートリッジを提供することとを目的とする。
【課題を解決するための手段】
【０００７】
前記した課題を解決するため、請求項１に記載の記録ディスクカートリッジは、フレキシブルな複数の記録ディスクメディアをカートリッジケース内に一体回転可能に収納した記録ディスクカートリッジであって、前記カートリッジケースは、前記記録ディスクメディアの平行な下壁を構成する下プレートと、前記記録ディスクメディアの平行な上壁を構成する上プレートと、これらの下プレートおよび上プレートにより構成される側部の一部に形成された開口部と、前記下プレートの内側対向面に配置された下ロータと、前記上プレートの内側対向面に配置された上ロータと、前記開口部を開閉するとともに前記下ロータおよび上ロータを連結するシャッタとを備え、前記下ロータおよび前記上ロータの周縁部には、前記下プレートおよび上プレートとの対向面に、回転軸を中心として形成された円弧状の凸部がそれぞれ設けられ、前記下プレートおよび上プレートには、前記凸部が挿入される円弧状の支持溝がそれぞれ設けられていることを特徴とする。
【０００８】
このような構成により、請求項１に記載の記録ディスクカートリッジは、下プレートと上プレートなどを積み上げていく形でカートリッジケースが構成される。このカートリッジケース内には、記録再生装置に設けられた記録再生用ヘッドが開口部からアクセスすると、記録ディスクメディアを介して下ロータと上ロータとが一体に回転するように収納されている。このとき、下および上ロータは、回転軸を中心に形成された円弧状の凸部が、下および上プレートに設けられた円弧状の支持溝に案内されてスムーズに回動するようになり、シャッタの開閉動作もスムーズになる。
このため、下ロータと上ロータは、凸部と支持溝とに支持されて、互いに平行に回動して、この下ロータと上ロータとの間に配設されている記録ディスクメデイアが、平行性などの精度を出しやすく、記録ディスクメディアの、特に２０００〜８０００ｒｐｍのような高速での回転安定性を高めることができる。
【０００９】
請求項２に記載の記録ディスクカートリッジは、請求項１に記載の記録ディスクカートリッジであって、前記下プレートと上プレートとの間には、前記複数の記録ディスクメディアを仕切る少なくとも１枚のインナプレートが固定されていることを特徴とする。
【００１０】
請求項２に記載の発明によれば、記録ディスクカートリッジは、下プレート、インナプレート、上プレートを積み上げていく形でカートリッジケースが構成される。そのため、インナプレートと記録ディスクメディアの組を一つの単位とでき、インナプレートもすべて同じ部品とすることができて生産性に優れる。そして、組立工程における記録ディスクメディアの持ち運びも下プレートやインナプレートをトレー代わりにして行うことができるのでメディアを損傷・汚損することなく、組立性にも優れる。また、記録ディスクメディアの枚数を変更した仕様としたい場合には、主としてインナプレートの枚数を変えれば済むので仕様の変更が容易である。さらに、仕切り板となるインナプレートはカートリッジケースの一部として固定されているので、記録ディスクメディアとの平行性などの精度を出しやすく、記録ディスクメディアの回転安定性を高めることができる。
【００１１】
請求項３に記載の記録ディスクカートリッジは、請求項１または請求項２に記載の記録ディスクカートリッジであって、前記凸部の高さは、前記支持溝の深さより高く形成されていることを特徴とする。
【００１２】
請求項３に記載の発明によれば、記録ディスクカートリッジは、凸部の高さが支持溝の深さより高く形成されている。下および上ロータと、下および上プレートとは、凸部の先端と支持溝の底で摺動し、それ以外の広い部間では摺動しないため、両者間の摩擦が低減される。その結果、下および上ロータは、回動がスムーズになり、シャッタの開閉動作もスムーズになる。
【００１３】
請求項４に記載の記録ディスクカートリッジは、請求項１ないし請求項３のいずれか一項に記載の記録ディスクカートリッジであって、前記下ロータの凸部の先端と前記上ロータの凸部の先端との間の凸部間距離が、前記下プレートと上プレートとの間のプレート間距離より大きく、かつ、前記下プレートの支持溝の底と上プレートの支持溝の底との間の支持溝間距離より小さく形成されていることを特徴とする。
【００１４】
請求項４に記載の発明によれば、記録ディスクカートリッジは、下および上ロータの凸部の先端間の凸部間距離が、下および上プレートのプレート間距離より大きく、かつ、下および上プレートの支持溝の底間の支持溝間距離より小さく形成されていることにより、下および上ロータの凸部が下および上プレートの支持溝に係合して支えられ、回動振れが解消されて、スムーズに回動するようになる。その結果、シャッタの開閉動作もスムーズになる。
【００１５】
請求項５に記載の記録ディスクカートリッジは、請求項１ないし請求項４のいずれか一項に記載の記録ディスクカートリッジであって、前記下ロータまたは上ロータの少なくとも一方の外周部には、前記シャッタを開閉させるための係合部が設けられていることを特徴とする。
ここで、係合部とは、例えば、歯車によって噛み合うギヤ係合や両者間の摩擦による摩擦係合などである。
【００１６】
請求項５に記載の発明によれば、記録ディスクカートリッジは、下ロータまたは上ロータの少なくとも一方の外周部に、シャッタを開閉させるための係合部が設けられている。これにより、係合部は、磁気ディスクカートリッジの外部から開閉操作すると、下または上ロータの外周部を所定の範囲駆動して、シャッタが安定した動作で開口部を開閉させるようになる。
【００１７】
請求項６に記載の記録ディスクカートリッジは、請求項１ないし請求項５のいずれか一項に記載の記録ディスクカートリッジであって、前記凸部または前記支持溝の少なくとも一方には、滑り摩擦低減処理が施されていることを特徴とする。
ここで、滑り摩擦低減処理とは、凸部または支持溝の摩擦抵抗や摺動抵抗を低減させるために表面処理などの処理することである。
【００１８】
請求項６に記載の発明によれば、記録ディスクカートリッジは、凸部または支持溝の少なくとも一方に滑り摩擦低減処理が施されていることにより、凸部の摩擦抵抗が低減されて摺動性が良好になる。このため、下および上ロータは、回動がスムーズになり、これに伴いシャッタの開閉動作もスムーズになる。
【００１９】
請求項７に記載の記録ディスクカートリッジは、請求項１ないし請求項６のいずれか一項に記載の記録ディスクカートリッジであって、前記凸部または前記支持溝の少なくとも一方には、磨耗低減処理が施されていることを特徴とする。
ここで、磨耗低減処理とは、凸部または支持溝の耐摩耗性を向上させて磨耗や摩滅を防止するために表面処理などの処理することである。
【００２０】
請求項７に記載の発明によれば、記録ディスクカートリッジは、凸部または支持溝の少なくとも一方に磨耗低減処理が施されていることにより、凸部の耐摩耗性が向上されて、下および上ロータの摺動性を良好に保持させることができる。
【００２１】
請求項８に記載の記録ディスクカートリッジは、請求項６に記載の記録ディスクカートリッジであって、前記滑り摩擦低減処理は、前記凸部または前記支持溝の少なくとも一方の表面を粗面にする粗面化処理、前記凸部または前記支持溝の少なくとも一方の表面に摩擦低減材を設置する摩擦低減材設置処理、前記凸部または前記支持溝の少なくとも一方の表面に潤滑剤を塗布する潤滑剤塗布処理、あるいは、前記凸部のまたは前記支持溝の少なくとも一方を含油樹脂で形成した含油樹脂成形処理のいずれかからなること特徴とする。
ここで、粗面化処理とは、凸部または支持溝の表面粗さを微細な平滑面状にして摩擦抵抗や摺動抵抗を低減させることである。摩擦低減材設置処理は、摺動を円滑にするために摩擦抵抗や摺動抵抗の小さな部材を設置することである。潤滑剤塗布処理は、摺動を円滑にするために凸部または支持溝の表面に潤滑剤を塗布またはコーティングすることである。含油樹脂成形処理は、含油樹脂で凸部または支持溝を形成することである。
【００２２】
請求項８に記載の発明によれば、記録ディスクカートリッジは、凸部または支持溝の少なくとも一方の表面を粗面にする粗面化処理、摩擦低減材設置処理、潤滑剤塗布処理、あるいは、含油樹脂成形処理のいずれかを施すことにより、凸部および支持溝の耐摩耗性が向上されて、下および上ロータの摺動性を良好に保持させることができる。これに伴いシャッタの開閉動作もスムーズになる。
【００２３】
また、前記下ロータおよび前記上ロータには、中心部に中央開口部が穿設され、前記下プレートおよび上プレートには、前記中央開口部を軸支する環状リブがそれぞれ設けられていることが好ましい。
このように構成することにより、下および上ロータは、環状リブを中心に回動するようになり、軸芯のズレなどが解消されて、下および上ロータの回動をスムーズにすることができる。
【００２４】
さらに、前記下ロータまたは上ロータの少なくともどちらか一方は、前記環状リブに嵌合した係止部材によって支持されていることが好ましい。
このように構成することにより、下および上ロータは、環状リブを中心に回動したときに、軸心線方向のがたつきなどを解消して、下および上ロータの回動をスムーズにすることができる。
【００２５】
前記環状リブの高さは、前記下ロータおよび上ロータの厚さより高く形成することが好ましい。
このように構成することにより、下および上ロータと、下および上ロータとの間に隙間ができて、両者間の摩擦や磨耗が低減されて、下および上ロータの回動をスムーズにすることができる。
【発明の効果】
【００２６】
本発明によれば、下プレート、インナプレート、上プレートを積み上げていく形でカートリッジケースが構成されるので、部品の共通化により生産性の向上が可能となり、記録ディスクメディアをインナプレートなどに載せて持ち運ぶことで、記録ディスクメディアを、損傷・汚損することなく、組立性にも優れる。
また、主としてインナプレートの枚数を変更することで容易に記録ディスクメディアの枚数の変更を行うことができる。
さらに、記録再生装置に設けられた記録再生用ヘッドがカートリッジケースの開口部からアクセスした場合、下および上ロータは、ロータ回転軸を中心に形成された円弧状の凸部が、下および上プレートに設けられた円弧状の支持溝に案内されて回動して、シャッタの開閉動作がスムーズである。
【発明を実施するための最良の形態】
【００２７】
次に、本発明の実施形態について、適宜図面を参照しながら詳細に説明する。本実施形態においては、記録ディスクメディアの一例として磁気ディスクメディアを採用した場合について説明する。
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図であり、図６は、磁気ディスクメディアの積層構造を示す分解斜視図であり、図７は、下および上ロータと下および上プレートとの係合状態を示す図で、凸部と支持溝との係合箇所を誇張して示す要部拡大概略図であり、図８は、下および上ロータと下および上プレートとが隙間なく係合しているときの状態を示す図で、凸部と支持溝との係合箇所を誇張して示す要部拡大概略図である。なお、以下の説明において、上下は、磁気ディスクカートリッジの典型的な使用状態を基準とし、便宜上磁気ディスクメディアの面に垂直な方向を上下と称する。
【００２８】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００２９】
各インナプレート２０は、平板状の主プレート２１の外周縁に上下のプレートと当接するリブ２２が形成されている。インナプレート２０の図１における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００３０】
この開口部３は、ディスクスタック４０と同軸に回動するシャッタ４により開閉される。シャッタ４は、図１に示すように下ロータ５１と上ロータ５２とを組み合わせることにより構成されている。
【００３１】
次に、各部材についてより詳細に説明する。
下プレート１０は、主として略正方形の主プレート１１の外周縁に、インナプレート２０のリブ２２の下面側と当接するリブ１２と、側壁１３が形成されて構成されている。下プレート１０の内側対向面には、下ロータ５１が回動自在に配置されている。側壁１３は、主プレート１１の１つの角（図１においては手前側の角）から所定の範囲、例えば一辺の３分の１程度の範囲に立設されており、およそインナプレート２０を積み重ねた高さで形成されている。
【００３２】
主プレート１１の側壁１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図１における左手前側の一辺）の中央略３分の１の範囲は、後記する下ロータ５１のギヤ（係合部）５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印Ａｒで示す方向へ進入して開口１５へ入り込む通路となっている。
【００３３】
前記したリブ１２は、主プレート１１の外周縁のうち、側壁１３、開口１４，１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ（環状リブ）１７が全周にわたって形成されている。このリブ１７は、下ロータ５１を回動自在に支持する。
また、主プレート１１の上面（内面）において、下ロータ５１の外周縁に対応する位置には、リブ（凸部）５１ｄが摺動自在に挿入される円弧状の下ロータ支持溝（支持溝）１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００３４】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００３５】
上プレート３０は、下プレート１０とおよそ対称に形成されて、内側対向面に上ロータ５２が回動自在に配置されている。図３に示すように、上プレート３０は、およそ正方形の主プレート３１に、前記した凹部１４ａに対応する凹部３４と、リブ１７に対応するとともに中央開口部５２ｃを軸支するリブ（環状リブ）３７と、下ロータ支持溝１８に対応するとともにリブ（凸部）５２ｄが挿入される円弧状の上ロータ支持溝（支持溝）３８とが形成されている。なお、主プレート３１の中央に開口は形成されず、側壁１３に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００３６】
下ロータ５１は、およそ磁気ディスクメディア４１と同じリング状の下ロータプレート５１ａに中央開口部５１ｃ、切欠５１ｅ、リブ５１ｄ、およびギヤ（係合部）５１ｆが形成され、下ロータプレート５１ａの外周縁にシャッタプレート５１ｂが立設されて構成されている。中央開口部５１ｃは、リブ（環状リブ）１７に外嵌する円形に形成され、切欠５１ｅは、凹部１４ａに対応する扇形に形成される。また、リブ（凸部）５１ｄは、下ロータ支持溝１８に対応して下ロータプレート５１ａとの対向面（下面）の外周縁に、回転軸Ａを中心として下方に向けて円弧状に設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００３７】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するとともに上プレート３０との対向面に回転軸Ａを中心として設けられた円弧状のリブ（凸部）５２ｄとが形成されている。また、上ロータプレート５２ａの外周縁の切欠５２ｅに隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ（環状リブ）３７に外嵌するとともにリブ５２ｄが上ロータ支持溝３８に係合することで上プレート３０に回動自在に支持されている。なお、上ロータ５２は、リブ３７に嵌合した係止部材５３によって支持されることにより上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００３８】
図５に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。
【００３９】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００４０】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００４１】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００４２】
次に、磁気ディスクメディア４１およびその積層構造について説明する。
磁気ディスクメディア４１は、例えばポリエステルなどの樹脂シートに磁性塗料を両面に塗布したものである。
【００４３】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００４４】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００４５】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００４６】
なお、最上層のセンタコア４２は、上側に回転係止すべきセンタコアが無いため、その上には下側にのみピン４３ｂを突出させた、厚みの薄いトップスペーサ４３′が配置される。
【００４７】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００４８】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００４９】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００５０】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００５１】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図４、図５に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００５２】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００５３】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
このとき、ライナ４９が適宜磁気ディスクメディア４１に触れることで磁気ディスクメディア４１上の塵埃が除去される。
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００５４】
このように磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００５５】
次に、下および上プレート１０，３０と、下および上ロータ５１，５２との間の寸法関係と軸支関係とについて説明する。
磁気ディスクカートリッジ１は、図３に示すように、記録再生装置に設けられた記録再生用ヘッドが開口部３（図２参照）からアクセスすると、下プレート１０の内側対向面に配置された下ロータ５１と、上プレート３０の内側対向面に配置された上ロータ５２とが、一体に回転するようにカートリッジケース２内に収納されている。シャッタプレート５１ｂは、この下および上ロータ５１，５２と連結し、これらと一体に回動して開口部３を開閉する。このとき、下および上ロータ５１，５２には、下および上プレート１０，３０との対向面に、回転軸Ａを中心として形成された円弧状のリブ（凸部）５１ｄ，５２ｄが支持溝１８，３８に案内されて回動するようになり、シャッタ４の開閉動作もスムーズになる。
このため、下および上ロータ１０，３０は、互いに平行に回動して、この下ロータ１０と上ロータ３０との間に配設されている磁気ディスクメデイア４１は、平行性などの精度を出しやすく、磁気ディスクメディア４１の、特に２０００〜８０００ｒｐｍのような高速での回転安定性を高めることができる。
【００５６】
図７に示すように、下および上ロータ５１，５２のリブ（凸部）５１ｄ，５２ｄの高さＨ１は、支持溝１８，３８の深さＤより高く形成されている。下および上ロータ５１，５２のリブ（凸部）５１ｄ，５２ｄ間の凸部間距離Ｌは、下および上プレート１０，３０間のプレート間距離Ｗより大きく、かつ、下および上プレート１０，３０の支持溝１８，３８間の支持溝間距離Ｉより小さく形成されている。
その結果、下および上ロータ５１，５２と、下および上プレート１０，３０との間には、隙間Ｓができるため、両者が互いに摺接しなくなり、両者間の摩擦が低減される。このため、下および上ロータ５１，５２は、回動がスムーズになり、シャッタ４による開口部３の開閉動作もスムーズになる。
【００５７】
同じように、リブ（環状リブ）１７，３７の高さＨ２は、下および上ロータ５１，５２の厚さＴより高く形成されている。このため、下および上ロータ５１，５２と、下および上プレート１０，３０との間に隙間Ｓができて、両者間の摩擦や磨耗が低減されて、下および上ロータ５１，５２の回動をスムーズにすることができる。
【００５８】
また、下および上ロータ５１，５２には、中心部に中央開口部５１ｃ，５２ｃが穿設され、下および上プレート１０，３０には、中央開口部５１ｃ，５２ｃを軸支するリブ５１ｄ，５２ｄがそれぞれ設けられている。その結果、下および上ロータ５１，５２は、リブ５１ｄ，５２ｄを中心に回動するようになり、軸心振れなどを解消して、下および上ロータ５１，５２の回動をスムーズにすることができる。
さらに、上ロータ５２は、リブ５２ｄに嵌合した係止部材５３によって支持されていることにより、軸心線方向の振れなどを解消して、下および上ロータ５１，５２の回動をスムーズにすることができる。
【００５９】
これに対して、例えば、図８に示すように、下および上ロータ５１'，５２'のリブ（凸部）５１ｄ'，５２ｄ'の高さＨ１'が、支持溝１８'，３８'の深さＤ'より低く形成されたり、また、リブ（環状リブ）１７'，３７'の高さＨ２'が、下および上ロータ５１'，５２'の厚さＴ'より低く形成されている場合には、下および上ロータ５１'，５２'と、下および上プレート１０'，３０'との間に隙間Ｓ（図７参照）がなくなり、両者間の摩擦や磨耗が増大して、下および上ロータ５１'，５２'の回動が悪化してスムーズに回動しない。
【００６０】
図７に示すように、リブ５１ｄ，５２ｄまたは支持溝１８，３８の少なくとも一方には、リブ５１ｄ，５２ｄまたは支持溝１８，３８の摩擦抵抗や摺動抵抗を低減させるための滑り摩擦低減処理が施されることにより、リブ５１ｄ，５２ｄの摺動性が向上されて、シャッタ４の開閉動作もスムーズになる。
なお、滑り摩擦低減処理は、例えば、粗面化処理、摩擦低減材設置処理、潤滑剤塗布処理、含油樹脂成形処理などかからなる。
さらに、詳しく説明すると、粗面化処理は、リブ５１ｄ，５２ｄや支持溝１８，３８の表面を平滑な波形の面状に形成したり、リブ５１ｄ，５２ｄの先端を球面状や曲面状に形成して摩擦抵抗や摺動抵抗を低減させる処理を施すことである。
摩擦低減材設置処理は、リブ５１ｄ，５２ｄや支持溝１８，３８の表面に、前記したセンタプレート４７のような滑り部材などからなる摩擦低減材を設置して摺動を円滑にさせる処理を施すことである。
潤滑剤塗布処理は、リブ５１ｄ，５３ｄや支持溝１８，３８の表面にグリスなどの潤滑剤を塗布したり、フッ素やグラファイトなどの固体被膜潤滑剤をコーティングして摺動性を向上させるための処理を施すことである。
含油樹脂成形処理は、リブ５１ｄ，５２ｄや支持溝１８，３８や下および上ロータ５１，５２や下および上プレート１０，３０を含油樹脂で形成して摺動性を向上させるための処理を施すことである。
【００６１】
また、リブ５１ｄ，５２ｄまたは支持溝１８，３８の少なくとも一方には、磨耗低減処理が施されている。その結果、リブ５１ｄ，５２ｄの耐摩耗性が向上されて、下および上ロータ５１，５２の摺動性を良好に保持させることができる。
【００６２】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
また、実施形態においては、下プレート１０、インナプレート２０、上プレート３０をネジ９１により締結固定したが、接着、溶着により一体に固定することも可能である。
なお、リブ（凸部）５１ｄ，５２ｄと支持溝１８，３８は、その形状をそれぞれ逆にして、リブ５１ｄ，５２ｄを溝状に形成し、支持溝１８，３８を凸部状に形成してもよい。
【図面の簡単な説明】
【００６３】
【図１】一実施形態に係る磁気ディスクカートリッジの分解斜視図である。
【図２】一実施形態に係る磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ｂ）におけるIV−IV断面図である。
【図５】図４の部分拡大図である。
【図６】磁気ディスクメディアの積層構造を示す分解斜視図である。
【図７】下および上ロータと下および上プレートとの係合状態を示す要部拡大概略図である。
【図８】下および上ロータと下および上プレートとが隙間なく係合しているときの状態を示す要部拡大概略図である。
【符号の説明】
【００６４】
１      磁気ディスクカートリッジ（記録ディスクカートリッジ）
２      カートリッジケース
３      開口部
４      シャッタ
１０    下プレート
１６    開口部
１７，３７  リブ（環状リブ）
１８    下ロータ支持溝（支持溝）
２０    インナプレート
２３    切欠
３０    上プレート
３８    上ロータ支持溝（支持溝）
４０    ディスクスタック
４１    磁気ディスクメディア（記録ディスクメディア）
４２    センタコア
４３    スペーサ
４４    連結軸
４５    ベアリングボール
４７    センタプレート
４９    ライナ
５１    下ロータ
５１ｃ，５２ｃ  中央開口部
５１ｄ，５２ｄ  リブ（凸部）
５１ｆ    ギヤ（係合部）
５２    上ロータ
５３    係止部材
６１    アクチュエータ
６２    スイングアーム
６３    磁気ヘッド
６５    スピンドル
Ａ    回転軸
Ｄ    支持溝の深さ
Ｈ１    凸部の高さ
Ｈ２    リブの高さ
Ｉ    支持溝間距離
Ｌ    凸部間距離
Ｓ    下および上ロータと下および上ロータとの間に隙間
Ｔ    下ロータおよび上ロータの厚さ
Ｗ    プレート間距離
【図１】
2006073129.tif 000003
【図２】
2006073129.tif 000004
【図３】
2006073129.tif 000005
【図４】
2006073129.tif 000006
【図５】
2006073129.tif 000007
【図６】
2006073129.tif 000008
【図７】
2006073129.tif 000009
【図８】
2006073129.tif 000010